(57)【要約】【課題】遊技球の転がりに様々なパターンがあり、遊技球の転動に目が離せず興味を持って遊技を楽しむことができる遊技機におけるセンタ役物のステージ構造を提供する。【解決手段】ステージ面３４は、短尺方向の断面が凹状に湾曲し、左右方向にハーフパイプ面状に連続した面形状となっているとともに、左端部側のステージ面３４ａ及び右端部側のステージ面３４ｂから左右方向中央のステージ面３４ｃに向かうに従い徐々に低くなるように形成されている。また、ワープ出口４２から勢いを付けて放出される遊技球Ｂの転動軌跡上であるステージ面３４の左側の奥側上部には、円弧状に突出した突起（消勢部）５４が設けられている。【選択図】        図３
2004230019.tif 000002
【特許請求の範囲】
【請求項１】
遊技機のセンタ役物に、左右方向に延在し、且つ左右両端から左右方向中央に向かうに従い徐々に低くなるステージ面を設け、当該ステージ面の左右方向中央の奥側に、該ステージ面を転がる遊技球を前記センタ役物の下方に設けた入賞口に誘導する特定入口を設けたステージ構造において、
前記ステージ面を、短尺方向の断面が凹状に湾曲し、左右方向にハーフパイプ状に連続している面形状とし、このステージ面の左右方向端部の手前側に設けた遊技球放出口から該ステージ面の奥側に向けて前記遊技球を放出するとともに、前記遊技球放出口から勢いを付けて放出されてきた前記遊技球の転動速度を減少させる消勢部を設けたことを特徴とする遊技機におけるセンタ役物のステージ構造。
【請求項２】
前記消勢部は、前記ステージ面における前記遊技球の転動軌跡上に設けられ、前記遊技球放出口から放出された前記遊技球が当接することで該遊技球の勢いをやわらげる突起であることを特徴とする請求項１記載の遊技機におけるセンタ役物のステージ構造。
【請求項３】
前記消勢部を、前記遊技球放出口に対向している前記ステージ面の左右方向端部側の奥側の上部に設けたことを特徴とする請求項１又は２記載の遊技機におけるセンタ役物のステージ構造。
【請求項４】
前記遊技球放出口は、ワープ通路のワープ出口であることを特徴とする請求項１乃至３の何れかに記載の遊技機におけるセンタ役物のステージ構造。
【発明の詳細な説明】
【０００１】
【発明の属する技術分野】
本発明は、パチンコ機等の遊技機におけるセンタ役物のステージ構造に関する。
【０００２】
【従来の技術】
パチンコ機におけるセンタ役物のステージ構造として、例えば、左右方向に平面形状で延在しているステージ面と、このステージ面の左右方向の中央において前面に向けて下方に傾斜している誘導面を設け、ワープ通路のワープ出口からステージ面の左右方向の端部側に転がってきた遊技球を、ステージ面の中央まで転動させ、さらに誘導面に案内することで、センタ役物の下方に設けた入賞口に向けて落下させる構造のものが知られている（例えば、特許文献１。）。
【０００３】
【特許文献１】
特許第３１３４９４１号（図９，図１３）
【０００４】
【発明が解決しようとする課題】
しかし、特許文献１のステージ構造であると、ワープ出口から出てきた遊技球は、平面形状のステージ面から誘導面まで左右方向の直線的な転がり動作しかせず、遊技球の転がりが単調になってしまい、遊技者は、ステージ面の遊技球の動きに興味を抱かなくなる。
【０００５】
また、上記のステージ構造では、ワープ出口から誘導面までの遊技球の転がり時間が短く、各遊技球の流下速度が早くなるので、遊技者にゲーム時間が短いような印象を与えてしまい、大当たりへの期待感を減少させてしまうおそれがある。
そこで、本発明は上記事情に鑑みてなされたもので、ステージ面の遊技球の転がりに様々なパターンがあり、遊技球の転動に目が離せず、興味を持って遊技を楽しくすることができるともに、ステージ面の遊技球の転がり時間が長くなって、大当たりへの期待感を増大させることができる遊技機におけるセンタ役物のステージ構造を提供することを目的としている。
【０００６】
【課題を解決するための手段】
請求項１記載の遊技機におけるセンタ役物のステージ構造は、遊技機のセンタ役物に、左右方向に延在し、且つ左右両端から左右方向中央に向かうに従い徐々に低くなるステージ面を設け、当該ステージ面の左右方向中央の奥側に、該ステージ面を転がる遊技球を前記センタ役物の下方に設けた入賞口に誘導する特定入口を設けたステージ構造において、前記ステージ面を、短尺方向の断面が凹状に湾曲し、左右方向にハーフパイプ状に連続している面形状とし、このステージ面の左右方向端部の手前側に設けた遊技球放出口から該ステージ面の奥側に向けて前記遊技球を放出するとともに、前記遊技球放出口から勢いを付けて放出されてきた前記遊技球の転動速度を減少させる消勢部を設けた。
【０００７】
また、請求項２記載の発明は、請求項１記載の遊技機におけるセンタ役物のステージ構造において、前記消勢部は、前記ステージ面における前記遊技球の転動軌跡上に設けられ、前記遊技球放出口から放出された前記遊技球が当接することで該遊技球の勢いをやわらげる突起である。
また、請求項３記載の発明は、請求項１又は２記載の遊技機におけるセンタ役物のステージ構造において、前記消勢部を、前記遊技球放出口に対向している前記ステージ面の左右方向端部側の奥側の上部に設けた。
さらに、請求項４記載の発明は、請求項１乃至３の何れかに記載の遊技機におけるセンタ役物のステージ構造において、前記遊技球放出口を、ワープ通路のワープ出口とした。
【０００８】
【発明の実施の形態】
以下、本発明の１実施形態について、図面を参照して説明する。
図１は、本発明に係る１実施形態におけるパチンコ機の一部分を構成する遊技盤２の正面図である。
遊技盤２は、外側ガイドレール４と内側ガイドレール６とによって包囲された円形状の遊技領域８を備え、遊技者の操作により、図示しない発射装置から発射された遊技球が、遊技領域８を流下しつつ転動することにより、遊技が行われる。遊技領域８には、遊技釘が多数配置されているが、図面簡素化のために省略する。
【０００９】
遊技領域８の中央部には、液晶からなる特別図柄表示装置１０が配置されている。また、特別図柄表示装置１０の下方には、特別図柄始動口１２が配置され、特別図柄始動口１２の左右両側には、普通図柄作動ゲート１４が配置されている。また、遊技領域８の下方には、変動入賞装置１６が配置されており、遊技球を入賞可能な状態とする大入賞口１８を備えている。
【００１０】
また、特別図柄表示装置１０の前面側には、センタ役物２０が配置されているとともに、他の遊技領域８に、遊技釘とともに遊技球の転動方向を変化させるランプ付き風車２２、遊技球を遊技盤２の裏面に排出するアウト口２４、ランプ表示装置２６等が配置されている。
そして、遊技球が特別図柄始動口１２に入賞すると、所定の確率に基づいて判定制御手段（図示せず）で特賞状態を生起するか否かが判定され、その判定結果に基づいて、特別図柄表示装置１０の特別図柄を変動させ、その後に所定の図柄を確定表示させる。特賞状態が生起すると、所定時間の間、変動入賞装置１６の広幅の扉が前面側に開いて、遊技球を入賞可能な状態とする。
【００１１】
また、遊技球が普通図柄作動ゲート１４を通過すると、所定の確率に基づいて、他の判定制御手段（図示せず）で準特賞状態を生起するか否かが判定され、その判定の結果に基づいて、普通図柄表示装置（図示せず）の普通図柄を変動させ、その後に所定の図柄を確定表示させる。準特賞状態が生起すると、特別図柄始動口１２の左右の可動片１２ａ，１２ａが所定時間開放し、遊技球が特別図柄始動口１２に入賞しやすくなる。
【００１２】
ここで、図２は、前述したセンタ役物２０を斜視で示した図である。
このセンタ役物２０は、遊技盤２の盤面に取付けられる本体ベース３０と、本体ベース３０の中央に設けられて特別図柄表示装置１０を保護している透明板３２と、透明板３２の下部に設けられ、正面視において左右方向に延在しているステージ面３４と、本体ベース３０に取り付けたワープ形成部材３６により形成され、内部に受け入れた遊技球をステージ面３４に向けて誘導するワープ通路３８と、遊技領域８の左側上流を流下してきた遊技球をワープ通路３８内に受け入れるワープ入口４０と、ワープ通路３８により誘導してきた遊技球をステージ面３４の左側端部の手前側からステージ面３４に放出するワープ出口４２と、ステージ面３４の左右方向中央の奥側に並んで設けた複数の特定入口４４と、これら特定入口４４の下方に設けられ、各特定入口４４に入った遊技球を特別図柄始動口１２に誘導する複数の特定出口４６とを備えている。
【００１３】
次に、図３はステージ面３４を平面視で示した図であり、図４はステージ面３４の短尺方向の断面を示したものである。
図３及び図４から明らかなように、ステージ面３４は、短尺方向の断面が凹状に湾曲し、左右方向にハーフパイプ状に連続した面形状となっているとともに、左端部側のステージ面３４ａ及び右端部側のステージ面３４ｂから左右方向中央のステージ面３４ｃに向かうに従い徐々に低くなるように形成されている。また、特定入口４４の手前側における略半円形状の領域には、特定入口４４に向けて下り傾斜を付けた略平面形状の誘導面５０が設けられている。
【００１４】
また、ワープ出口４２には、ワープ形成部材３６の遊技球案内部３６ａが、ステージ面３４の奥側に延在し、且つ、下面がステージ面３４の湾曲面に沿うように形成されており、この遊技球案内部３６ａに接触しながらワープ出口４２から放出された遊技球Ｂが、図３の一点鎖線で示す方向（以下、転動軌跡と称する。）に転動するようになっている。
【００１５】
ここで、前記転動軌跡上のステージ面３４の左側の奥側上部には、円弧状に突出した突起（消勢部）５４が設けられている。この突起５４は、後述するように、遊技球が衝突することで転動速度を減少させる機能と、遊技球の転動方向を変更する転動方向変更機能を有している。
次に、ワープ出口４２から勢いよく放出された遊技球Ｂが、ステージ面３４を転がるパターンについて図５を参照して説明する。
【００１６】
ワープ出口４２から一点鎖線で示す転動軌跡上に勢いを付けて放出された遊技球Ｂは、ステージ面３４の左側の奥側上部に設けた突起５４に衝突することで転動速度が減少し、ステージ面３４の湾曲面に沿って手前側に転動していく。手前側の上部に向けて転動した遊技球Ｂは、さらに転動速度が減少しながら奥側の上部に向けて転動してく、このように、遊技球Ｂは、徐々に勢いを失いながらステージ面３４の奥側及び手前側への転動を繰り返して揺動していき、徐々に揺動動作を小さくして左右方向中央のステージ面３４ｃ側に向かっていく。そして、左右方向中央のステージ面３４ｃの最も低い位置まで移動した遊技球Ｂは、誘導面５０に吸い込まれるように転動して、何れかの特定入口４４に入り込む。特定入口４４に入り込んだ遊技球Ｂは、特定出口４６から出て特別図柄始動口１２に向けて落下していく。
【００１７】
また、図示しないが、ワープ出口４２から、さほど勢いを付けないで放出された遊技球Ｂは、ステージ面３４の奥側及び手前側への転動を繰り返して揺動していき、徐々に揺動動作を小さくしながら勢いが失われて左右方向中央のステージ面３４ｃ側に向かっていく。
ここで、図５の２点鎖線は、ステージ面３４の左側の奥側上部に突起５４を設けない場合の遊技球Ｂの転動軌跡を示すものである。この２点鎖線の転動軌跡から明らかなように、ワープ出口４２から勢いを付けて放出された遊技球Ｂは、ステージ面３４の上部を短時間の間で通過し、単調な動きで特定入口４４に入り込むので、遊技者は、ステージ面３４上の遊技球Ｂの動きに興味を抱かなくなる。
【００１８】
したがって、本実施形態によると、ステージ面３４を、短尺方向の断面が凹状に湾曲し、左右方向にハーフパイプ状に連続している面形状とするとともに、遊技球Ｂの転動軌跡上であるステージ面３４の左側の奥側上部に突起５４を設けたことから、ワープ出口４２から勢いを付けて放出された遊技球Ｂは、突起５４に衝突することで転動速度が減少し、徐々に勢いを失いながらステージ面３４の奥側及び手前側への転動を繰り返して揺動していき、徐々に揺動動作を小さくして左右方向中央のステージ面３４ｃ側に向かっていく複雑な転がり動作を行う。これにより、遊技者は、遊技球Ｂの動きに目が離せず、興味を持って遊技を楽しくすることができる。
【００１９】
また、突起５４は、遊技球Ｂの勢いを消すものであれば、遊技球Ｂが乗り越えない高さであっても、乗り越える高さであってもよいが、本実施形態のように、遊技球Ｂが乗り越えずに転動方向を変更する突起５４であると、ステージ面３４がハーフパイプ面状であるがゆえに、遊技球Ｂがステージ面３４上を長く滞留して転動するので、遊技者に、より一層の期待感を与えることができる。
【００２０】
また、遊技球Ｂが、暫くの間、ステージ面３４上を滞留して転がり時間が長くなるので、大当たりへの期待感を増大させることができる。
なお、本実施形態では、ワープ出口４２をステージ面３４の左側に設けたためにステージ面３４の左側に一つの突起５４を設けたが、例えば、ステージ面３４の左右の両側に２箇所のワープ出口を設ける場合には、ステージ面３４の左右両側に２つの突起を設けるようにしてもよい。
【００２１】
【発明の効果】
本発明の遊技機におけるセンタ役物のステージ構造によると、遊技球放出口から勢いを付けて放出された遊技球は、遊技球の転動軌跡上に設けた消勢部により転動速度が減少し、徐々に勢いを失いながらステージ面の奥側及び手前側への転動を繰り返して揺動していき、徐々に揺動動作を小さくして左右方向中央のステージ面から特定入口に向かっていく複雑な転がり動作を行うので、遊技者は、遊技球の動きに目が離せず、興味を持って遊技を楽しくすることができる。
また、遊技球が、暫くの間、ステージ面を滞留して転がり時間が長くなるので、大当たりへの期待感を増大させることができる。
【図面の簡単な説明】
【図１】本発明に係るパチンコ機の遊技盤を示す正面図である。
【図２】本発明に係るセンタ役物を示す斜視図である。
【図３】本発明に係るセンタ役物のステージ面を示す平面図である。
【図４】図３のＩＶ−ＩＶ線矢視図である。
【図５】本発明に係るステージ面上を転動する遊技球のパターンを示す図である。
【符号の説明】
１２  特別図柄始動口（入賞口）
２０  センタ役物
３０  本体ベース
３２  透明板
３４  ステージ面
３４ａ  左端部側のステージ面
３４ｂ  右端部側のステージ面
３４ｃ  左右方向中央のステージ面
３８  ワープ通路
４２  ワープ出口（遊技球放出口）
４４  特定入口
５４  突起（消勢部）
Ｂ  遊技球
【図１】
2004230019.tif 000003
【図２】
2004230019.tif 000004
【図３】
2004230019.tif 000005
【図４】
2004230019.tif 000006
【図５】
2004230019.tif 000007